(57)【要約】【課題】デッキプレート１０を挟んで上下で溶接してトラスを固定する、トラス付きのデッキプレートで、溶接縞を目立たなくする。【解決手段】上方に凸となる幅Ｄの凹入部１３、１３を形成したデッキプレート１０に、凹入部１３の上面にトラス１、１を載置し（ａ）、凹入部１３内に配置してた下電極２３と上電極２２とによりスポット溶接する（ｂ）。デッキプレート１０とトラス１、１とを固定して、トラス付きのデッキプレート１０とする。使用する電極２２、２３の幅をＤ０とするとき、凹入部１３の幅Ｄは、Ｄ０＜Ｄ＜２×Ｄ０、で形成し、スポット溶接跡を凹入部１３内に留める。デッキプレート１０は、トラス１の長さ方向に連続する波状を形成した鋼板を屈曲して、凹入部１３、１３と略直交するリブ１８を形成してある。【選択図】図３
2005336889.tif 000002
【特許請求の範囲】
【請求項１】
デッキプレート上に、トラスを溶接してなるトラス付きのデッキプレートにおいて、
デッキプレートの下面に、上方に凸となる幅Ｄの凹入部を形成し、該凹入部の上面側と前記トラスとを溶接固定してなり、前記幅Ｄを使用する溶接機の溶接手段の径より大径に形成したことを特徴とするトラス付きデッキプレート。
【請求項２】
使用する溶接機の溶接手段の径をＤ０とするとき、凹入部の幅Ｄを、
Ｄ０＜Ｄ＜２×Ｄ０
としたことを特徴とする請求項１記載のトラス付きデッキプレート。
【請求項３】
凹入部の頂面に上に凸となる突部を形成し、該突部とトラスとを溶接して固定した請求項１記載のトラス付きデッキプレート。
【請求項４】
デッキプレートは、トラスの長さ方向に連続する波状で、凹入部と略直交するリブを形成した請求項１記載のトラス付きデッキプレート。
【発明の詳細な説明】
【技術分野】
【０００１】
この発明は、鉄筋コンクリート構造又は鉄骨鉄筋コンクリート構造の建造物において、スラブを構築する際に、打ち込み型枠として使用するトラス付きデッキプレートに関する。
【背景技術】
【０００２】
トラス付きのデッキプレートでは、鋼板からなるデッキプレート上に、鋼材からなるトラスを並列して、デッキプレートの上下から溶接棒（溶接手段）を近付け、トラスの一部とデッキプレートとの接点で溶接していた。この場合、溶接縞を生じ、デッキプレートの下面をそのまま天井面とする構造物では、この溶接縞が表れるので、見苦しかった。従って、溶接縞を消すために、デッキプレートの下面を補修したり、塗装したり、あるいは仕上げ板等を貼り付けて対処していた。
【０００３】
このような付加的な作業を無くす為に、出願人はデッキプレートの上面側でトラスとデッキプレートとの溶接作業をして、溶接縞がデッキプレートの下面に目立たないトラス付きデッキプレートを提案している（特許文献１）。
【特許文献１】特開平８−１５１７８
【発明の開示】
【発明が解決しようとする課題】
【０００４】
しかし、前記従来の技術では、デッキプレートの上面側での溶接作業が必須であったため、デッキプレートを挟んで上下で溶接するラインには適用できない問題点があった。
【課題を解決するための手段】
【０００５】
然るに、この発明は、デッキプレートに溶接機の溶接手段の径より大径に形成した凹入部を形成して、トラスとデッキプレートとを溶接したので、前記問題点を解決した。
【０００６】
即ちこの発明は、デッキプレート上に、トラスを溶接してなるトラス付きのデッキプレートにおいて、デッキプレートの下面に、上方に凸となる幅Ｄの凹入部を形成し、該凹入部の上面側と前記トラスとを溶接固定してなり、前記幅Ｄを使用する溶接機の溶接手段の径より大径に形成したことを特徴とするトラス付きデッキプレートである。
【０００７】
また、前記において、使用する溶接機の溶接手段の径をＤ０とするとき、凹入部の幅Ｄを、
Ｄ０＜Ｄ＜２×Ｄ０
としたことを特徴とするトラス付きデッキプレートである。また、凹入部の頂面に上に凸となる突部を形成し、該突部とトラスとを溶接して固定したトラス付きデッキプレートである。更に、デッキプレートは、トラスの長さ方向に連続する波状で、凹入部と略直交するリブを形成したトラス付きデッキプレートである。
【０００８】
前記における溶接手段とは、溶接の対象間に電流を流す手段であり、例えば、溶接する電極である。
【発明の効果】
【０００９】
デッキプレートに、溶接機の溶接手段の径より大径とした幅Ｌの凹入部を形成し、凹入部の底部とトラスとを溶接固定したので、溶接縞は凹入部内に限って形成される。従って、デッキプレート下面に広く溶接縞が形成されないので、デッキプレートを露出させて天井を構成する場合であっても、溶接縞が目立たないので、仕上げ作業を省略できる効果がある。
【００１０】
また、凹入部内の溶接縞を露出させないためには、凹入部内を塗装し、あるいは仕上げ材を貼り付けることにより完了できるので、仕上げの手間を大幅に削減できる。
【００１１】
また、凹入部は、溶接手段を挿入できる程度の大きさ、深さに形成するので、デッキプレートの長さ方向、幅方向のいずれの方向をも補強される。
【発明を実施するための最良の形態】
【００１２】
この発明は、デッキプレート１０の下面に上方に凸となる幅Ｄの凹入部１３、１３を形成し、凹入部１３の上面に載置したトラス１、１を、凹入部１３内に配置してた下電極２３と（図３）、上電極２２とによりスポット溶接して、デッキプレート１０とトラス１、１とを固定して、トラス付きのデッキプレート１０を構成する（図１、図２）。
【００１３】
使用する電極２２、２３の幅をＤ０とするとき、凹入部１３の幅Ｄは、
Ｄ０＜Ｄ＜２×Ｄ０
としてあり、凹入部１３の上端に突条１７を形成して、突条１７を介してトラス１を固定する。
【００１４】
また、デッキプレート１０は、トラス１の長さ方向に連続する波状を形成した鋼板を屈曲して、凹入部１３、１３と略直交するリブ１８を形成してある（図２、図３）。
【実施例１】
【００１５】
図面に基づきこの発明の実施例を説明する。
【００１６】
［１］トラス１の構成
【００１７】
トラス１は、１本の上主鉄筋（径ｔ２１）２、２本の下主鉄筋（径ｔ２１）３、３を二等辺三角形の各頂点に配置し、上下の主鉄筋間２、３に、波形のラチス鉄筋（径ｔ２２）４を夫々固定して、立体形状に構成してある。この際、ラチス鉄筋４の上端部は上主鉄筋の２の外側に当接し、ラチス鉄筋４の下部は、下主鉄筋３の内側で当接している。また、ラチス鉄筋４の下端部は外方に向けて水平に屈曲して、固定部５、５を形成してある。上下主鉄筋は通常は、異形鉄筋を使用する。
【００１８】
前記において、各数値は例えば、以下のように設定する。  
・ラチス鉄筋４の径ｔ２１＝５〜８ｍｍ、通常はｔ２１＝６ｍｍ
・上下主鉄筋２、３の径ｔ２２＝１０〜１６ｍｍ、通常はｔ２２＝１３ｍｍ
・下主鉄筋３、３の距離Ｄ２１＝７０〜９０ｍｍ、通常はＤ２１＝８０ｍｍ
・トラス１の高さＨ２１＝８０〜３００ｍｍ、
通常はＨ２１＝１１０ｍｍ又は２００ｍｍ
【００１９】
［２］デッキプレート１０の構成
【００２０】
長さＬ１１、幅Ｄ１１で厚さｔ１１の鋼板からデッキプレート１０を構成する（図１、図２）。デッキプレート１０の下面１１から上面１２に向けて、底板１４の幅Ｄ１、開口部１６の幅Ｄ２で高さ（深さ）Ｈ１の断面台形状の凹入部１３、１３を形成する。
【００２１】
凹入部１３は、トラス１の固定部５、５を設置する位置に合わせて、デッキプレート１０の長さ方向の全長に亘って、形成する。各凹入部１３の底板（頂板）１４の中央に、デッキプレート１０の長さ方向の全長にわたり、幅Ｄ３、高さＨ３で、上に凸の突条１７を形成する（図３）。
【００２２】
デッキプレート１０の両端部には、隣接するデッキプレート１０、１０を接合する為に互いに嵌合する連結部１９、１９ａが、夫々形成されている。
【００２３】
また、前記におけるデッキプレートは、予め長さ方向にさざ波状に連続する凹凸を形成した鋼板を屈曲して、凹入部１３、連結部１９、１９ａ等を形成する。さざ波状に連続する凹凸から、凹入部１３、１３間にリブ１８、１８が形成される（図２、図３）。このリブ１８、１８により、デッキプレート１０の幅Ｄ１１方向、長さＬ１１方向のいずれの方向も補強される。
【００２４】
前記において、各数値は例えば、以下のように設定する。  
・デッキプレート１０の厚さｔ１１＝０．４〜０．５ｍｍ
・デッキプレート１０の幅Ｄ１１＝４００ｍｍ
・デッキプレート１０の長さＬ１１＝６０００    ｍｍ
・凹入部１３の底板１４の幅Ｄ１＝  ９ｍｍ
・凹入部１３の開口部１６の幅Ｄ２＝１２ｍｍ
・凹入部１３の高さ（深さ）Ｈ１＝  ２ｍｍ
・１つのトラス１の固定部用の凹入部１３、１３間の距離Ｄ４＝１００ｍｍ
・隣接するトラスの固定部用の凹入部１３、１３間の距離Ｄ５＝２３０ｍｍ
・突条１７の幅Ｄ３＝  ２ｍｍ
・突条１７の高さＨ２＝  １ｍｍ
【００２５】
［３］トラス付きデッキプレート２０の構成
【００２６】
(1) デッキプレート１０の上面１１に、２つのトラスを、中心の距離Ｄ２２で、並べて載置する。この状態で、トラス１、１の各固定部５、５がデッキプレート１０の突条１７上に載置される。
【００２７】
前記において、数値は例えば、以下のように設定する。  
・トラス１、１間の距離Ｄ２２＝２００ｍｍ
【００２８】
(2) 続いて、トラス１の固定部５、凹入部１３を上下に挟むように、上電極２２、下電極２３を配置して、電極２２、２３間に通電する。この際、下電極２３は、デッキプレート１０の凹入部１３の底板１４より幅を狭く形成してあるので（Ｄ０＜Ｄ１）、溶接縞は凹入部１３内に留まり、溶接縞が凹入部１３の開口部１６を越えて、デッキプレート１０の下面１２に生じることを防止できる。尚、上下電極は通常幅Ｄ０＝８ｍｍ程度で、長さ方向６０ｍｍ、高さ３０ｍｍのフラットバー状の形状となっている。
【００２９】
(3) 以上のようにして、この発明のトラス付きデッキプレート２０を構成する（図１、図２）。
【００３０】
(4) このトラス付きデッキプレート２０では、コンクリート系建造物（鉄筋コンクリート、鉄骨鉄筋コンクリート）で従来のトラス付きデッキプレートと同様に、梁型枠間に架設して、スラブ用型枠として使用する。このデッキプレートでは、溶接縞が目立たないので、天井を張らずにデッキプレート１０の下面１２を露出させることができる。
【００３１】
尚、必要ならば、凹入部１３内を塗装し、あるいは凹入部１３内に各種シートを張れば、溶接縞は完全に被覆できる。
【００３２】
［４］他の実施例
【００３３】
(1) 前記において、トラス１は、２つ並列したが、１つあるいは３つ以上とすることもできる（図示していない）。この場合には、トラス１の間隔が適切となるように、デッキプレート１０の大きさを設定する。
【００３４】
また、デッキプレート１０と溶接する為の固定部５、５を有すれば、トラス１の構造は任意である。例えば、下主鉄筋３をラチス鉄筋４の内側に配置することもできる（図示していない）。また、例えば、立体構造でなく、下主鉄筋３及びラチス鉄筋４を１本として平面構造でも可能である（図示していない）。
【００３５】
(2) また、前記実施例において、凹入部１３は、デッキプレート１０の長さ方向の全長に亘って形成したが、少なくとも、トラス１の固定部５の位置（溶接位置）に存在すれば良いので、断続的に形成することも可能である（図示していない）。また、凹入部１３に形成した突条１７も長さ方向の全長に形成したが、トラス１の固定部５の位置に合わせて、断続的に形成することもできる。更に、突条１７は省略することもできる（図示していない）。
【００３６】
また、凹入部１３の形状は断面台形に形成したが、長方形、半円径、円弧状等任意である（図示していない）。
【００３７】
また、凹入部１３の幅は、底板１４の幅Ｄ１が下電極２３の幅Ｄ０より大きく形成することが望ましいが、少なくとも凹入部１３の開口部の幅Ｄ０より大きく形成してれば良い（図示していない）。
【００３８】
また、凹入部１３の幅Ｄ１（又はＤ２）は、溶接縞が広がる大きさが通常、下電極２３の幅Ｄ０の２倍程度であるので、下電極２３の幅Ｄ０の２倍より小さくしてれば充分である。即ち、凹入部１３の幅Ｄ１（又はＤ２）は以下のように設定することが望ましい。
【００３９】
Ｄ０＜「Ｄ１（又はＤ２）」＜２×Ｄ０
尚、幅Ｄ１（又はＤ２）を２０ｍｍ以上とするすると、形成される溶接縞が目立つようになるので、２０ｍｍ以下に設定することが望ましい。また、その意味からも、Ｄ１（又はＤ２）＜２×Ｄ０、とすることが望ましい。
【００４０】
(3) また、前記実施例において、リブ１８、１８は予めさざ波状の凹凸を形成した鋼板を使用してデッキプレート１０を構成したので、デッキプレート１０のほぼ全平面に凹凸が形成され、デッキプレートが補強されるので望ましいが、従来のように、凹入部１３、１３間に、断続的な形状で形成することもできる（図１）。尚、結果としてデッキプレートが補強されれば、リブ１８の構成は任意である。
【００４１】
。
【図面の簡単な説明】
【００４２】
【図１】この発明の実施例のトラス付きデッキプレートの正面図である。
【図２】同じく平面図である。
【図３】（ａ）は図１のＡ部分の拡大図で、（ｂ）は（ａ）のＢ部分の拡大図である。
【符号の説明】
【００４３】
１    トラス
２    上主鉄筋
３    下主鉄筋
４    ラチス鉄筋
５    固定部
１０  デッキプレート
１１  デッキプレートの上面
１２  デッキプレートの下面
１３  凹入部
１４  凹入部の底板
１５  凹入部の底板の底面
１６  凹入部の開口部
１７  凹入部の突条
１８  デッキプレートのリブ
１９、１９ａ  デッキプレートの連結部
２０  トラス付きデッキプレート
２２  電極（上）
２３  電極（下）
【図１】
2005336889.tif 000003
【図２】
2005336889.tif 000004
【図３】
2005336889.tif 000005